(57)【要約】【課題】複数の壁パネル等の壁材を接合した壁に対して耐震機能を損なうことなくガード部材を設けることができるガード構造を提供する。【解決手段】複数の壁パネル（壁材）１０を、耐震支持手段４によって床面１ａに対し該床面１ａと相対移動可能に支持するとともに並列して接合し、壁パネル１０の壁面１０ａに該壁面１０ａを保護するガード部材５０を設置するにあたり、ガード部材５０を、壁パネル１０に対し、隣接する壁パネル１０を連結しない状態に分割して設ける。【選択図】図６
2017122345.tif 000002
【特許請求の範囲】
【請求項１】
複数の板状の壁材が耐震支持手段によって床面に対し該床面と相対移動可能に支持されるとともに並列して接合されてなる壁の壁面に、該壁面を保護するガード部材が設置された壁のガード構造において、
前記ガード部材は、前記壁材に対し、隣接する前記壁材を連結しない状態に分割して設けられていることを特徴とする壁のガード構造。
【請求項２】
前記ガード部材は、１枚の前記壁材に対し１つずつ設置されていることを特徴とする請求項１に記載の壁のガード構造。
【請求項３】
前記ガード部材と前記壁材の壁面との間に、緩衝材が挟まれることを特徴とする請求項１または２に記載の壁のガード構造。
【請求項４】
前記緩衝材は、前記ガード部材の端縁から突出して設けられることを特徴とする請求項３に記載の壁のガード構造。
【請求項５】
前記耐震支持手段は、
前記床面に合わせられて固定される第１の板部と前記壁材の壁面に合わせられて固定され長孔を有する第２の板部とを有する支持部材と、
前記第２の板部の外面に前記長孔を塞いで重ねられるカバー部材と、
前記カバー部材と前記長孔に通され、前記第２の板部を前記カバー部材とともに前記壁材を固定するねじ部材と、
を備えることを特徴とする請求項１〜４のいずれかに記載の壁のガード構造。
【発明の詳細な説明】
【技術分野】
【０００１】
本発明は、耐震支持手段を介して床に支持された複数の壁パネル等の壁材で構成される壁にガード部材を設置して保護するガード構造に関する。
【背景技術】
【０００２】
工場や倉庫等において外壁や屋内の間仕切り壁等の壁を施工するにあたっては、複数の長方形状の壁パネルを立てて順次接合しながら施工する構造が知られている（特許文献１等）。ところで、多くの建築物にあっては耐震構造が採用されており、壁パネルも床に対して耐震機能を有する支持手段で支持される場合がある。耐震支持手段としては、地震時における強い揺れを受けた際に壁パネルが床に対して相対的に移動可能に支持することによって、床からの応力が壁パネルに直接加わって損傷や破壊が起こることを抑えるような形式のものがある。
【０００３】
一方、工場や倉庫等の建物内においては、資材や物品等をフォークリフトで運搬する場合が多いが、荷下ろし時にフォークリフトのフォークの先端が壁パネルに軽く衝突して壁パネルを傷付ける場合があった。そこで壁面を鋼板などで覆ってフォークが壁パネルに直接衝突しないように壁パネルをガードする対策が考慮されている。
【先行技術文献】
【特許文献】
【０００４】
【特許文献１】特開２００１−０４０８００号公報
【発明の概要】
【発明が解決しようとする課題】
【０００５】
上記のように耐震固定手段で床に支持された壁パネルの壁面にガード部材を設ける場合、複数の壁パネルにわたって１つのガード部材を固定すると、そのガード部材で壁パネルが連結されるため壁パネルの動きが拘束されることになる。すると、個々の壁パネル単独の相対移動が起こり難くなり耐震機能が損なわれるといった不具合が生じるため、何らかの対策が求められた。
【０００６】
本発明は上記事情に鑑みてなされたものであり、複数の上記壁パネル等の壁材を接合した壁に対して耐震機能を損なうことなくガード部材を設けることができる壁のガード構造を提供することを目的としている。
【課題を解決するための手段】
【０００７】
本発明の壁のガード構造は、複数の板状の壁材が耐震支持手段によって床面に対し該床面と相対移動可能に支持されるとともに並列して接合されてなる壁の壁面に、該壁面を保護するガード部材が設置された壁のガード構造において、前記ガード部材は、前記壁材に対し、隣接する前記壁材を連結しない状態に分割して設けられていることを特徴とする。
【０００８】
本発明で言う壁材は、本発明の耐震支持手段によって床面に支持され壁を構成することが可能なものであり、例えば、木製パネル、断熱性パネル、ＡＬＣ（Autoclaved Light-weight Concrete）パネルと呼ばれる軽量気泡コンクリートパネル、軽量セメント成型パネル等の壁パネルや、石膏ボード等が挙げられる。また、本発明の耐震支持手段による「相対移動可能に支持される」とは、地震時における強い揺れを受けた際に壁材が床に対して相対的に移動可能に支持されるということである。また、本発明のガード部材は、例えばフォークリフトのフォークが衝突しやすい領域に設置されてフォークが壁材に直接衝突することを防止するものであり、鋼板等の硬度、剛性を有する金属板や、キーストンプレート、角波板、コルゲートプレート等の凹凸加工された鋼板等が好適に使用される。
【０００９】
本発明によれば、ガード部材を、壁材を連結しない状態に分割して設けるため、隣接する壁材の動きがガード部材により拘束され難く、個々の壁材はそれぞれ単独で床に対し相対移動可能である。よって耐震固定手段の耐震機能が維持される。
【００１０】
ガード部材を、隣接する壁材を連結しない状態に分割して設ける形態として、具体的には、例えば１枚の壁材に対しガード部材を１つずつ設置する形態が挙げられる。
【００１１】
本発明では、前記ガード部材と前記壁材の壁面との間に、緩衝材が挟まれる形態を含む。この形態によれば、例えばフォークリフトのフォークがガード部材に衝突した際の衝撃が緩衝材によって緩衝され、壁材がガード部材から損傷を受けることが防止される。
【００１２】
また、本発明は、前記緩衝材が、前記ガード部材の端縁から突出して設けられることを好ましい形態とする。この形態によれば、フォーク等の衝突を受けたガード部材の端縁が壁面に直接当たって線状の傷が付くことが、緩衝材によって確実に防止される。
【００１３】
本発明の前記耐震支持手段の具体的構成としては、前記床面に合わせられて固定される第１の板部と前記壁材の壁面に合わせられて固定され長孔を有する第２の板部とを有する支持部材と、前記第２の板部の外面に前記長孔を塞いで重ねられるカバー部材と、前記カバー部材と前記長孔に通され、前記第２の板部を前記カバー部材とともに前記壁材を固定するねじ部材と、を備えたものが挙げられる。
【００１４】
この形態によれば、地震の揺れによる大きな応力を受けると、ねじ部材が固定部材の長孔内を相対移動することにより壁材が支持部材に対し相対移動可能であり、相対移動が起こることで、壁材やねじ部材に応力が集中せず、これにより壁材や支持部材、あるいはねじ部材に変形や損傷が生じ難いといった耐震機能が発揮される。その結果、壁材や支持部材の外観が維持されるとともに支持部材による支持構造の復元が可能である。また、長孔をカバー部材で塞いでいるため長孔による気密性の低下を防ぐことができ、例えば壁材が耐火断熱パネル等である場合に耐火断熱性といった性能を維持することができる。
【００１５】
本発明のガード部材は、上記のように例えばフォークリフトのフォークから壁材を保護するためのものとして適用される。このようにフォークリフトのフォークから壁材を保護する用途の場合、フォークを下降させて荷下ろしを行う時に壁材に衝突させやすいため、ガード部材は、床面からの高さ範囲を例えば１００〜８００ｍｍに設定すると、下降状態のフォークの先端の高さ位置を十分カバーできるため有効である。
【発明の効果】
【００１６】
本発明によれば、複数の壁材を接合した壁に対して耐震機能を損なうことなくガード部材を設けることができるガード構造が提供されるといった効果を奏する。
【図面の簡単な説明】
【００１７】
【図１】本発明の一実施形態に係る壁パネルを複数接合して間仕切り壁を施工した状態を示す斜視図である。
【図２】同壁パネルの接合構造を示す横断面図である。
【図３】一実施形態に係る耐震固定手段による壁パネル支持構造を示す正面図である。
【図４】図３のIV−IV断面図である。
【図５】一実施形態に係るガード構造を示す側断面図である。
【図６】同ガード構造の正面図である。
【図７】一実施形態を基本構成とする他の実施形態（緩衝材を追加）を示す側断面図である。
【発明を実施するための形態】
【００１８】
以下、図面を参照して本発明の一実施形態を説明する。
図１は、耐火断熱性を有する壁パネル（壁材）１０によって間仕切り壁１０Ａを構築した状態を示している。壁パネル１０は床スラブ１の床面１ａに直立して設置され、複数の壁パネル１０を横方向に接合して間仕切り壁１０Ａが構築される。
【００１９】
［１］壁パネルの構成
壁パネル１０は、図２に示すように、２枚の金属板２０の間に複数の長方形状の芯材パネル３０が挟まれた金属サンドイッチパネルであり、金属板２０の外面が壁面１０ａを構成する。金属板２０は、カラー鋼板、フッ素鋼板、塩ビ鋼板、ガルバリウム鋼板、ＳＵＳ等のステンレス板等であって、厚さが０．３５〜１．２ｍｍ程度のものが用いられる。
【００２０】
芯材パネル３０は、不燃性および断熱性を備えた無機系繊維等からなる芯材材料を１２０〜２２０ｋｇ／ｍ３程度の高密度に圧縮成形して得たものであり、厚さは例えば１００〜２５０ｍｍの範囲から選択される。芯材パネル３０の具体的な材料としては、例えば、製鉄プロセスで得られるガラス状の鉄炉スラグに石灰等を混合して高温で溶解し生成されるロックウールや、グラスウール等の無機系人造繊維等が挙げられる。芯材パネル３０は金属板２０にウレタン樹脂系等の接着剤で接着される。壁パネル１０の全体寸法としては、例えば、幅：９００ｍｍ程度、高さ：１８００〜１２０００ｍｍ程度とされ、厚さは１００〜２５０ｍｍ程度とされる。
【００２１】
壁パネル１０は、上下方向に延びる長手方向に沿った側端面どうしが接合され、これにより間仕切り壁１０Ａが構築される。図２に示すように、壁パネル１０の一方（図２で左側）の側端面には表裏の金属板２０が折り返されることにより凹部１１が形成され、凹部１１の底面に長手方向に沿った凸条３１が形成されている。また、壁パネル１０の他方（図２で右側）の側端面には厚さを減じることで凸部１２が形成され、凸部１２の端面に長手方向に沿った溝３２が形成されている。壁パネル１０の両方の側端面は芯材パネル３０が露出しており、その芯材パネル３０の厚さ方向中央部に、凸条３１および溝３２が形成されている。
【００２２】
壁パネル１０は、充填材３５を間に挟んで圧縮させ、凹部１１に凸部１２を嵌合させるとともに凸条３１に溝３２を嵌合させることで、横方向に接合される。充填材３５は、例えば厚さ１０〜１５ｍｍ程度のセラミックファイバーや生体溶解性繊維等が用いられる。
【００２３】
［２］耐震支持手段による壁パネルの支持構造
壁パネル１０の上下の端部は、それぞれ床スラブ１、上階スラブ２に対し耐震支持手段４によって固定され、これにより壁パネル１０は床スラブ１と上階スラブ２との間に直立状態で支持されている。耐震支持手段４は、以下に説明する断面Ｌ字状の一対のアングル（支持部材）４０、アングル４０の長板部４５に形成された長孔４５ａ、ワッシャ（カバー部材）７０、ビス（ねじ部材）６から構成される。
【００２４】
図３および図４に示すように、床スラブ１側においては、壁パネル１０の下端部の両側の壁面１ａと床スラブ１とにより形成される直角の隅部３に、アングル４０がそれぞれ設置される。アングル４０は横方向に接合される複数の壁パネル１０にわたる長さを有しており、短板部（第１の板部）４１と長板部（第２の板部）４５とが互いに直角に交差する断面Ｌ字状に形成されたものである。アングル４０は、亜鉛メッキ鋼板等からなる板材を加工して形成したもので、厚さが例えば２．３〜３．２ｍｍ程度であって必要な剛性を有している。
【００２５】
アングル４０は、短板部４１が壁パネル１０の外側に向けて床スラブ１の上面に合わせられ、長板部４５が壁パネル１０の金属板２０の表面に合わせられて設置される。アングル４０の短板部４１には、長手方向に間隔をおいて必要箇所に複数のボルト挿通孔４１ａが形成されている。一方、長板部４５には、長手方向に間隔をおいて必要箇所に複数の楕円形状の長孔４５ａが形成されている。長孔４５ａはアングル４０を隅部３に設置した状態で上下方向に延びるように長板部４５に形成されている。なお、図示例ではアングル４０の短板部４１を壁パネル１０の外側に向けているが、可能であれば逆向き、すなわち短板部４１を壁パネル１０の内側に向けて設置してもよい。その場合、短板部４１は壁パネル１０の底面と床面１ａとの間に挟まれ露出しない状態となる。
【００２６】
アングル４０の短板部４１のボルト挿通孔４１ａに通したアンカーボルト５を床スラブ１にねじ込むことで、短板部４１が床スラブ１に固定される。
【００２７】
アングル４０の長板部４５は、長方形状のワッシャ７０とともにビス６によって壁パネル１０に固定される。ワッシャ７０はアングル４０の長板部４５に形成されている長孔４５ａを塞ぐことが可能な大きさを有し、その中心に、ビス６のねじ径よりも僅かに大きい円形状のビス挿通孔７０ａが形成されている。ワッシャ７０はビス６の締結力に耐え得る剛性を有するものが採用され、例えば上記アングル４０と同じ材質および厚さの板材が用いられる。なお、本実施形態ではワッシャ７０は長方形状であるが、長孔４５ａを塞ぐものであればワッシャ７０の形状は任意である。
【００２８】
ワッシャ７０は、アングル４０の長板部４５の外面に対し長孔４５ａを塞いで重ねられ、一致したビス挿通孔７０ａと長孔４５ａにビス６を通し、そのビス６を壁パネル１０の金属板２０にねじ込むことにより、長板部４５がワッシャ７０とともに壁パネル１０に固定される。ビス６はタッピングビスが用いられ、金属板２０に打ち込まれてからねじ込まれる。
【００２９】
一方、上階スラブ２側においても床スラブ１に対する形態と同様にしてアングル４０により壁パネル１０が固定される。すなわち、壁パネル１０の上端部の両側の壁面１０ａと上階スラブ２とにより形成される直角の隅部に、短板部４１を上階スラブ２に合わせ、長板部４５を壁パネル１０の壁面１０ａに合わせてアングル４０が設置され、短板部４１がアンカーボルト５で上階スラブ２に固定され、長板部４５がワッシャ７０およびビス６によって壁パネル１０に固定される。
【００３０】
上記構成の耐震支持手段４によれば、地震の揺れによる大きな応力を受けると、ビス６がアングル４０の長板部４５の長孔４５ａ内を相対移動することにより壁パネル１０がアングル４０に対し相対移動可能である。そしてそのような相対移動が生じることで、壁パネル１０やビス６に応力が集中せず、これにより壁パネル１０やアングル４０、あるいはビス６に変形や損傷が生じ難いといった耐震機能が発揮される。その結果、壁パネル１０やアングル４０の外観が維持されるとともにアングル４０による支持構造の復元が可能である。
【００３１】
また、長孔４５ａをワッシャ７０で塞いでいるため長孔４５ａによる気密性の低下を防ぐことができ、例えば壁パネル１０が耐火断熱パネル等である場合に耐火断熱性といった性能を維持することができるといった利点も備える。
【００３２】
［３］ガード部材およびその作用効果
図５および図６に示すように、壁パネル１０の両側の壁面１０ａの下端部の、アングル４０の上方には、所定の高さ寸法を有する長方形状のガード部材５０が固定されている。ガード部材５０は、複数の固定箇所に打ち込まれたビス（タッピングビス）９によって壁パネル１０に固定されている。ガード部材５０は、鋼板等の硬度、剛性を有する金属板の他に、キーストンプレート、角波板、コルゲートプレート等の凹凸加工された鋼板等が好適に使用される。
【００３３】
本実施形態のガード部材５０は、フォークリフトのフォークＦ（図５参照）から壁パネル１０を保護するためのものである。フォークリフトのフォークＦから壁パネル１０を保護するにあたっては、フォークＦを下降させて荷下ろしを行う時に壁パネル１０に衝突させやすいため、ガード部材５０の高さ範囲（図６のＨ）を例えば１００〜８００ｍｍに設定すると、下降状態のフォークＦの先端の高さ位置を十分カバーできるため有効である。
【００３４】
ガード部材５０は、幅寸法（左右方向の寸法）が壁パネル１０と同一であり、両端を壁パネル１０の側端に揃えて壁パネル１０に固定される。すなわちガード部材５０は１枚の壁パネル１０に対し１つずつ設置されており、したがって隣接する壁パネル１０どうしはガード部材５０によって連結されておらず、間仕切り壁１０Ａに対し壁パネル１０ごとに分割して設けられている。
【００３５】
本実施形態によれば、ガード部材５０を、壁パネル１０を連結しない状態に分割して設けているため、隣接する壁パネル１０の動きがガード部材５０により拘束され難いものとなっている。このため、個々の壁パネル１０はそれぞれ単独でアングル４０すなわち床面１ａに対し相対移動可能である。よって上記した耐震固定手段４による耐震機能が維持される。
【００３６】
［４］他の実施形態
（１）緩衝材の追加
図７は、上記実施形態のガード部材５０と壁パネル１０の壁面１０ａとの間に、緩衝材６０を挟んだ他の実施形態を示している。ガード部材５０は、壁面１０ａとの間に緩衝材６０を挟んでから壁パネル１０に固定される。
【００３７】
緩衝材６０は、ポリエチレン、ポリスチレン、ポリプロピレン、ウレタン等の樹脂または樹脂化合物やブチルゴム等のゴム等の、緩衝機能を備えた材料をシート状に形成したものが用いられる。緩衝材６０の厚さは例えば１０〜４０ｍｍ程度とされる。緩衝材６０は、ガード部材５０と壁面１０ａとの間の全領域に設けてもよく、また、分割したものを上下方向および／または横方向に間隔をあけて配置してもよい。この場合、緩衝材６０は、高さ寸法がガード部材５０よりも大きく、ガード部材５０の上端縁よりも上方に突出し、かつ、下端縁よりも下方に突出した状態に設けられている。
【００３８】
この実施形態によれば、ガード部材５０に衝突したフォークリフトのフォークの衝撃が緩衝材６０によって緩衝され、壁パネル１０がガード部材５０から損傷を受けることが防止される。また、ガード部材５０と壁パネル１０との間に緩衝材６０が挟まれていない場合には、特にガード部材５０の上下の端縁が壁面１０ａに直接当たって線状の傷が付きやすいが、本実施形態では緩衝材６０がガード部材５０の上下の端縁から突出しているため、そのような線状の傷が付くことが緩衝材６０によって確実に防止される。
【００３９】
（２）その他
上記実施形態では、ガード部材５０は１枚の壁パネル１０に対し１つずつ設置されているが、本発明はこれに限定されず、隣接する壁パネル１０どうしが連結されずに壁パネル１０ごとに分割して設けられていれば、１枚の壁パネル１０に対し複数のガード部材を設置してもよい。
【産業上の利用可能性】
【００４０】
本発明は、フォークリフトが使用される倉庫や工場等において複数の各種壁パネルや石膏ボード等の壁材で構成される壁に適用することができる。
【符号の説明】
【００４１】
１…床スラブ
１ａ…床面
１０…壁パネル（壁材）
１０ａ…壁面
１０Ａ…間仕切り壁
２０…金属板
３０…芯材パネル
４…耐震支持手段
４０…アングル（支持部材）
４１…アングルの短板部（第１の板部）
４５…アングルの長板部（第２の板部）
４５ａ…長孔
５０…ガード部材
６…ビス（ねじ部材）
６０…緩衝材
７０…ワッシャ（カバー部材）
Ｆ…フォークリフトのフォーク
【図１】
2017122345.tif 000003
【図２】
2017122345.tif 000004
【図３】
2017122345.tif 000005
【図４】
2017122345.tif 000006
【図５】
2017122345.tif 000007
【図６】
2017122345.tif 000008
【図７】
2017122345.tif 000009